(57)【要約】      （修正有） 【課題】筆記具と記憶媒体を一緒に保管し、携帯する装置の提供。【解決手段】文房具として筆記目的で使用する文房具において、パーソナルコンピューターに接続するUSBインターフェースと、不揮発性メモリと、不揮発性メモリをパーソナルコンピューターに認識させる制御チップを持ち、インターフェースを介してパーソナルコンピューターと接続し、不揮発性メモリにデータやソフトを書き込み、読み込みが可能である機能を持つ筆記具付きUSB記憶装置。【選択図】図1
0003104476.tif 000002
【実用新案登録請求の範囲】
【請求項１】
筆記を行うために使用される文房具において、パーソナルコンピューターに接続するUSBインターフェースと、不揮発性メモリと、不揮発性メモリをパーソナルコンピューターに認識させる制御チップを持ち、USBインターフェースを介してパーソナルコンピューターと接続し、不揮発性メモリにデータを書き込み、読み込みが可能である機能をあわせ持つことを特徴とする筆記具付きUSB記憶装置。
【請求項２】
前記、筆記具付きUSB接続記憶装置はペン部分と基板が埋め込まれた胴体を脱着することが可能であることを特徴とする請求項１記載の筆記具付きUSB記憶装置。
【考案の詳細な説明】
【技術分野】
【０００１】
本発明は、筆記具付きのUSB接続記憶装置に関するものである。
【背景技術】
【０００２】
コンピューターで作成したデータを保存するためにフレキシブルディスク、コンパクトディスク、各種メモリカードなどの記憶媒体が広く利用されていた。近日、イージーディスク、ポケットビットなどと称するUSBインターフェースの外部接続用メモリが発売されて、親指程度の大きさの機体にフレキシブルディスクの数十倍〜数百倍の大容量データを保存して気軽に携帯することが可能になった。
【０００３】
USB接続の外部接続装置は、使い方が非常に易しくてパソコンの知識がなくとも誰でも簡単に使える商品である。最近の通常のパソコンであれば、USBポートに機体を差し込むのみで自動的にドライバがパソコンにインストールされて、新しいドライブがマイコンピューターの中に作成される。それからの操作はフレキシブルディスクの使い方と変わらない。フレキシブルディスクは文具店やコンビニでも気軽に購入できる商品であるが、USB接続の記憶媒体もパソコン周辺機器として位置つけるよりも、日常で使われる文具としての商品カテゴリーで位置つけることができる商品になりつつある。
【考案の開示】
【考案が解決しようとする課題】
【０００４】
近日、オフィスワークの環境においては、筆記具と記憶媒体はなくてはならぬアイテムの２つになっている。電話での用件を書き取るメモには通常は筆記具を利用して、正式な文章などの作成にはパソコンを使ってタイプし、記憶媒体に保存することを日常で行っている人は大変に多い。必須アイテムの２つであるが、別々に保管して別々に携帯する必要があった。    
【０００５】
ポケットビット、イージーディスクと称される外部接続用記憶装置はサイズが小さすぎるために紛失する可能性が大きかった。そのために首にかけるための紐を同梱したり、卓上に機器を立てて保管するためのスタンドを同梱したりと紛失を避けるためのアクセサリーが必要である。製品として市場で販売されているＵＳＢ接続記憶装置のほとんどには、紛失防止のためのアクセサリーが標準で同梱されている。
【０００６】
コンピューターを使って作成したファイルは、時間をかけて作成しとても大切なものであるが、どの記憶媒体に保管したのか分からなくなってしまうことが多い。保管場所のわからなくなったデータを探し出すには、大変な苦労をするものである。
【０００７】
USB記憶装置は、まだ一般に知られていない新しい記憶媒体である。とても小さく携帯に便利で、使い方も簡単で大容量のデータを記憶できるなどの特徴を持つ為に、広く普及する可能性を持っているが、現在はマニアックなパソコン売り場の片隅にしか陳列されていない。パソコン売り場の片隅に行く人は、大変に限られているために、パソコンに詳しい人しかUSB記憶装置については知らない。それは、パソコンにつくアクセサリーであるためにしかたがないことであるが、筆記具にUSB記憶装置の機能が盛り込まれることで、陳列できる店舗や場所に大きな変化が期待でき、市場が大きく広がることが予想される。 
【課題を解決するための手段】
【０００８】
本発明の請求項１では、筆記を行うために使用される文房具において、パーソナルコンピューターに接続するUSBインターフェースと、不揮発性メモリと、不揮発性メモリをパーソナルコンピューターに認識させる制御チップを持ち、USBインターフェースを介してパーソナルコンピューターと接続し、不揮発性メモリにデータを書き込み、読み込みが可能である機能をあわせ持ち、前記、筆記具付きUSB接続記憶装置はペン部分と基板が埋め込まれた胴体を脱着することが可能であることを特徴とすることを特徴とする筆記具付きUSB接続記憶装置を提供する。
【０００９】
本発明の請求項２では、筆記具付きUSB接続記憶装置はペン部分と基板が埋め込まれた胴体を脱着することが可能であることを特徴とする請求項1記載の筆記具付きUSB記憶装置を提供する。
【００１０】
本発明では、ＵＳＢ接続の記憶装置と筆記具であるペンの２つの機能をあわせもち、日常生活の中でとても便利なアイテムを提供している。ＵＳＢ記憶装置部分と筆記具部分は取り外しをすることも可能であり、別々に使うこともできるアイテムを提供する。
【００１１】
ポケットビット、イージーディスクなどと称されるUSB接続記憶装置はサイズが小さすぎるために紛失する可能性が大きかった。小さすぎたＵＳＢ記憶媒体に日常で使用する筆記具をつけることで、取り扱いに十分な大きさを持つことになり、ペン立てに立てたりスーツの胸ポケットに入れたりして紛失の可能性をあまり気にせずに保管したり、携帯することが可能になる。USB記憶装置のみで販売されている製品では左記の通りに小さすぎる機器が紛失する危険を回避していた。1首にかけるための紐を同梱する。２卓上に機器を立てて保管するためのスタンドを同梱する。３USB記憶装置用の袋を同梱する。このように、製品化されているＵＳＢ記憶装置のほとんどには紛失防止のためのアクセサリーが標準添付されていた。筆記具にUSB記憶装置をつけることにより、紛失防止のためのアクセサリーを添付する必要性をなくすことができる。
【００１２】
オフィスワークや日常生活の中で必要なアイテムである筆記具と記憶媒体は持ち歩いたり、保管したりする必要があるものであるが、必須アイテムの２つを別々に保管する必要性をなし、記憶媒体と筆記具をいっしょに保管し、携帯するアイテムを提供する。
【考案の効果】
【００１３】
仕事をする際などの必須アイテムである、ペンと記憶媒体の2つをいっしょにすることで、使用者が2つを別々に保管し、携帯する必要性をなくことができるようになった。
【００１４】
通常は親指程度の大きさの記憶媒体がペンくらいの大きさになれば、ペンたてや、スーツのペン用胸ポケットなど保管しても容器やポケットから取り出さなくとも在ることを確認できるので紛失を防ぐためのひもをつける必要がなくなる。ペンは使用頻度が高いために、ペンを使う際に大切なデータを身に付けていることや保管場所にあることを再確認することができるようになった。
【００１５】
コンピューターに接続でき、記憶媒体としても使えるペンは商品としての付加価値が高く、たとえ高価であっても購入したいと思う魅力がある商品を提供することができるようになった。
【００１６】
日常生活の範囲で行くことの多い、文具店や書店にペンとしての商品の位置づけで、本発明商品を陳列することができるようになった。 
【００１７】
大切なデータを保管してある場所が、日常で使用している文具やデジタルアイテムのために、必要な時に直ぐに必要なデータを引き出すことが可能になった。
【考案を実施するための最良の形態】
【００１８】
本発明の実施態様の一例として図１を示し、ペンと記憶媒体が合体した形状をしている。コンピューターの記憶装置として使用する場合には、USBコネクタをパソコンのＵＳＢポートに差込む。
【００１９】
本発明品は、ペン部分とメモリ胴体部分に分けることができる。ＵＳＢコネクタは、メモリ胴体部分に付随している。
【００２０】
図１に示すように、USB接続記憶装置を内蔵した筆記具１は、２と３の部分により構成されている。2は筆記具部分であり、3は電子機器部分であり、この２つの部分は取り外しをすることが可能である。
【００２１】
図２に示す通りに、筆記具の胴体の後方部分には電子基板が組み込まれており、電子基板に実装された、不揮発性メモリ、制御チップ、LEDなどによりＵＳＢ接続の記憶媒体の機能を実現している。
【実施例】
【００２２】
実施例について図面を参照にして説明すると、図1においてペンの胴体の一番太い部分にメモリと制御チップの実装された基板を埋め込む。6においてペン部分と基板が埋めもまれた胴体を着脱することが可能にする。1のキャップはUSBコネクタにはまるようになっており、ペンとして使用する場合にはキャップを被せておく。8のボールペン芯は取り替え可能である。
【００２３】
ペン部分には何種類のタイプがある。ボールペンタイプ、シャープペンタイプ、万年筆タイプ、ボールペンとシャープペン混合タイプ、消しゴムとシャープペン混合タイプ、スタイラスとボールペンの複合タイプがあり、複数のタイプのペン部分を交換可能である。
【産業上の利用可能性】
【００２４】
コンピューターを使って作成したファイルは、時間をかけて作成しとても大切なものであるが、どこに保管したのか分からなくなってしまうことが多い。ペンの中に作成したデータを記憶できることで常に使用している小物にデータを保存するために、保存場所を忘れてしまうことが少なくなる。必要なデータを常に持ち歩きたいという欲求にも答えることができて、データを携帯するのに大変便利な商品が提供できる。
【００２５】
筆記具にUSB記憶装置が組み込まれることで、文具店や本屋、デパートなどの店頭にも、筆記具付きUSB記憶装置を陳列することができるようになる。今まで、パソコン売り場の片隅にしか並んでいなかった商品が、フレキシブルディスクと肩を並べるような記憶媒体の一つとして認識されることができるようになる。フレキシブル・ディスクに比べて、小さくて軽くて衝撃に強い他に、数十倍〜数百倍のデータを記憶できる。フレキシブルディスクドライブは、ノートパソコンによっては標準装備されていないパソコンも多くなってきており、すべてのパソコンで使える記憶媒体ではない。USB記憶装置はフレキシブルディスクよりも多くのパソコンで簡単に使用することができる新しい記憶媒体である。
【図面の簡単な説明】
【００２６】
【図１】本発明の平面図
【図２】本発明の側面図
【符号の説明】
【００２７】
１  コネクタキャップ
２  インターフェースコネクタ
３  実装基板
４  LED
５  実装基板が入った胴体部分
６  ジョイント部分
７  ペン部分
８  ペンの芯部分
９  ペン先
【図１】
0003104476.tif 000003
【図２】
0003104476.tif 000004